(57)【要約】【課題】持ち運びないし移設が可能な簡易便器に排泄された排便を便所に捨てに行く手間を省き、併せて、排泄後に、排便の臭いが室内に拡散するという問題をも解決するための手段を提供すること。【解決手段】簡易便器２に連結配管３を介して連結された排便タンク４と、前記連結配管３の前記排便タンク４側端部に設けられた連結配管開閉弁５と、前記排便タンク４に圧縮空気供給配管６を介して連結された圧縮空気供給部７と、前記圧縮空気供給配管６の前記排便タンク４と前記圧縮空気供給部７の間に連結された洗浄水供給部８と、前記排便タンク４の上部に連結された吸引機９と、前記排便タンク４の底部に設けられた排便排出弁１０と、前記排便排出弁１０から排出された排便を下水管１１へ案内する排便排出配管１２と、を備えた排便搬送装置１。【選択図】　　　図１
2004084368.tif 000002
【特許請求の範囲】
【請求項１】
簡易便器に連結配管を介して連結された排便タンクと、前記連結配管の前記排便タンク側端部に設けられた連結配管開閉弁と、前記排便タンクに圧縮空気供給配管を介して連結された圧縮空気供給部と、前記圧縮空気供給配管の前記排便タンクと前記圧縮空気供給部の間に連結された洗浄水供給部と、前記排便タンクの上部に連結された吸引機と、前記排便タンクの底部に設けられた排便排出弁と、前記排便排出弁から排出された排便を下水管へ案内する排便排出配管と、を備えた排便搬送装置であって、
前記吸引機により前記排便タンク内の空気を吸引して前記排便タンク内に負圧を形成するとともに、前記連結配管開閉弁を開くことによって、前記簡易便器にある排便を前記連結配管を通じて前記排便タンク内に吸引し、
前記吸引機による前記吸引を停止するとともに、開かれた前記連結配管開閉弁を閉じ、前記洗浄供給部及び前記圧縮空気供給部から洗浄水及び圧縮空気を前記排便タンク内に供給するとともに、前記排便排出弁を開くことによって、前記排便タンク内に吸引された前記排便を前記下水管へ排出することを特徴とする簡易便器の排便搬送装置。
【請求項２】
前記圧縮空気供給配管の前記排便タンク側端部に、前記洗浄水及び前記圧縮空気を前記排便タンク内に拡散するメッシュ部材が設けられたことを特徴とする請求項１記載の簡易便器の排便搬送装置。
【請求項３】
前記連結配管の少なくとも一部が可撓性配管からなることを特徴とする請求項１又は２記載の簡易便器の排便搬送装置。
【請求項４】
簡易便器が連結配管を介して排便タンクに連結され、前記連結配管の前記排便タンク側端部に連結配管開閉弁が設けられた簡易便器の排便搬送方法であって、
前記排便タンクの上部に連結された吸引機により前記排便タンク内の空気を吸引して負圧を形成するとともに、前記連結配管開閉弁を開くことによって、前記簡易便器にある排便を前記連結配管を通じて前記排便タンク内に吸引する排便吸引工程と、
前記吸引機による吸引を停止するとともに、前記連結配管開閉弁を閉じ、前記排便タンクに圧縮空気供給配管を介して連結された圧縮空気供給部、及び前記圧縮空気供給配管の前記排便タンクと前記圧縮空気供給部の間に連結された洗浄水供給部により、前記排便タンク内に圧縮空気及び洗浄水を供給するとともに、前記排便タンクの底部に設けられた排便排出弁を開いて下水道と連通することにより、前記排便タンク内に吸引された前記排便を下水道へ排出する排便排出工程と、を含むことを特徴とする簡易便器の排便搬送方法。
【請求項５】
前記排便排出工程において前記排便タンク内に供給される前記洗浄水及び圧縮空気は、前記圧縮空気供給配管の前記排便タンク側端部に設けられたメッシュ部材によって前記排便タンク内に拡散されることを特徴とする請求項４記載の簡易便器の排便搬送方法。
【請求項６】
前記連結配管の少なくとも一部が可撓性配管からなることを特徴とする請求項４又は５記載の簡易便器の排便搬送方法。
【発明の詳細な説明】
【０００１】
【発明の属する技術分野】
本発明は、持ち運びないし移設が可能な簡易便器に排泄された排便を下水道へ搬送するための装置及び方法に関する。
【０００２】
【従来の技術】
便所まで歩行することが困難な身体不自由者等が排便を行う場合、ベッド内に配置されるベッド用便器や室内で移設可能な便器等の簡易便器が使用される。簡易便器は、下水道に直結した便所の便器と異なり、下水道と別個独立しているので、排泄の度に便器内に溜まった排便を便器ごと便所へ持って行き処理する必要がある。
【０００３】
【発明が解決しようとする課題】
ところが、簡易便器を使用する者は、便所まで歩行することが困難な身体不自由者等であることが多く、従って、排泄者自身で簡易便器内に溜まった排便を便所まで捨てに行くことが困難であるため、付添人等に依頼して排便を処理しなければならなかった。また、簡易便器に溜まった排便をそのまま放置すると、排便の臭いが室内に拡散するため、排泄後は直ぐに処理する必要があった。
【０００４】
また、簡易便器に溜まった排便を便所に捨てた後、簡易便器内に排便の一部が付着したまま残る場合が多く、ホース、たわし等を用いて簡易便器を水洗する必要があるため、排便の処理に多くの時間と労力を費やしていた。
【０００５】
本発明は、かかる課題に鑑みてなされたものであり、持ち運びないし移設が可能な簡易便器に排泄された排便を便所に捨てに行く手間を省き、併せて、排泄後に、排便の臭いが室内に拡散するという問題をも解決するための手段を提供することを目的とする。
【０００６】
【課題を解決するための手段】
上記目的を達成するために、請求項１記載の簡易便器の排便搬送装置は、簡易便器に連結配管を介して連結された排便タンクと、前記連結配管の前記排便タンク側端部に設けられた連結配管開閉弁と、前記排便タンクに圧縮空気供給配管を介して連結された圧縮空気供給部と、前記圧縮空気供給配管の前記排便タンクと前記圧縮空気供給部の間に連結された洗浄水供給部と、前記排便タンクの上部に連結された吸引機と、前記排便タンクの底部に設けられた排便排出弁と、前記排便排出弁から排出された排便を下水管へ案内する排便排出配管と、を備えた排便搬送装置であって、前記吸引機により前記排便タンク内の空気を吸引して前記排便タンク内に負圧を形成するとともに、前記連結配管開閉弁を開くことによって、前記簡易便器にある排便を前記連結配管を通じて前記排便タンク内に吸引し、前記吸引機による前記吸引を停止するとともに、開かれた前記連結配管開閉弁を閉じ、前記洗浄供給部及び前記圧縮空気供給部から洗浄水及び圧縮空気を前記排便タンク内に供給するとともに、前記排便排出弁を開くことによって、前記排便タンク内に吸引された前記排便を前記下水管へ排出することを特徴としている。
【０００７】
請求項２記載の簡易便器の排便搬送装置は、請求項１記載の簡易便器の排便搬送装置において、前記圧縮空気供給配管の前記排便タンク側端部に、前記洗浄水及び前記圧縮空気を前記排便タンク内に拡散するメッシュ部材が設けられたことを特徴としている。
【０００８】
請求項３記載の簡易便器の排便搬送装置は、請求項１又は２記載の簡易便器の排便搬送装置において、前記連結配管の少なくとも一部が可撓性配管からなることを特徴としている。
【０００９】
請求項４記載の簡易便器の排便搬送方法は、簡易便器が連結配管を介して排便タンクに連結され、前記連結配管の前記排便タンク側端部に連結配管開閉弁が設けられた簡易便器の排便搬送方法であって、前記排便タンクの上部に連結された吸引機により前記排便タンク内の空気を吸引して負圧を形成するとともに、前記連結配管開閉弁を開くことによって、前記簡易便器にある排便を前記連結配管を通じて前記排便タンク内に吸引する排便吸引工程と、前記吸引機による吸引を停止するとともに、前記連結配管開閉弁を閉じ、前記排便タンクに圧縮空気供給配管を介して連結された圧縮空気供給部、及び前記圧縮空気供給配管の前記排便タンクと前記圧縮空気供給部の間に連結された洗浄水供給部により、前記排便タンク内に圧縮空気及び洗浄水を供給するとともに、前記排便タンクの底部に設けられた排便排出弁を開いて下水道と連通することにより、前記排便タンク内に吸引された前記排便を下水道へ排出する排便排出工程と、を含むことを特徴としている。
【００１０】
請求項５記載の簡易便器の排便搬送方法は、請求項４記載の簡易便器の排便搬送方法において、前記排便排出工程において前記排便タンク内に供給される前記洗浄水及び圧縮空気は、前記圧縮空気供給配管の前記排便タンク側端部に設けられたメッシュ部材によって前記排便タンク内に拡散されることを特徴としている。
【００１１】
請求項６記載の簡易便器の排便搬送方法は、請求項４又は５記載の簡易便器の排便搬送方法において、前記連結配管の少なくとも一部が可撓性配管からなることを特徴としている。
【００１２】
【発明の実施の形態】
以下、本発明の実施の形態に係る簡易便器の排便搬送装置及び方法について図面に基づき説明する。図１に示すように、簡易便器の排便搬送装置１は、ベッド用便器２Ａや室内で移設が可能な便器２Ｂ等の簡易便器２に連結配管３を介して連結された排便タンク４と、前記連結配管３の排便タンク４側端部にアクチュエータ（不図示）によって開閉されるように設けられた連結配管開閉弁５と、前記排便タンク４に圧縮空気供給配管６を介して連結された圧縮空気供給部７と、前記圧縮空気供給配管６の前記排便タンク４と圧縮空気供給部７の間に連結された洗浄水供給部８と、排便タンク４の上部に連結された吸引機９と、排便タンク４の底部に、アクチュエータ（不図示）によって開閉されるように設けられた排便排出弁１０と、排便排出弁１０から排出された排便を下水管１１へ案内する排便排出配管１２と、前記連結配管開閉弁５の開閉と前記吸引機９の稼動及び停止を操作する第１の操作ボタン１４ａと、前記圧縮空気供給部７の稼動及び停止と前記排便排出弁１９の開閉を操作する第２の操作ボタン１４ｂと、を備えている。
【００１３】
前記簡易便器の排便搬送方法は、簡易便器の排便搬送装置１のような装置を用いて実施することが可能な方法である。すなわち、前記簡易便器の排便搬送方法は、排便タンク４の上部に連結された吸引機９により排便タンク４内の空気を吸引して負圧を形成するとともに、連結配管開閉弁５を開くことによって、簡易便器２にある排便を連結配管３を通じて排便タンク４内に吸引する排便吸引工程と、吸引機９による吸引を停止するとともに、連結配管開閉弁５を閉じ、排便タンク４に圧縮空気供給配管６を介して連結された圧縮空気供給部７、及び圧縮空気供給配管６の排便タンク４と圧縮空気供給部７の間に連結された洗浄水供給部８により、排便タンク４内に洗浄水及び圧縮空気を供給するとともに、排便タンク４の底部に設けられた排便排出弁１０を開いて下水道１１と連通することにより、排便タンク４内に吸引された排便を下水道１１へ排出する排便排出工程と、からなる方法である。以下、前記簡易便器の排便搬送装置１及び方法について、更に詳細に説明する。
【００１４】
前記簡易便器２は、持ち運びないし移設が可能な便器であり、例えば、ベッドで使用するベッド用便器、室内用に持ち運びが可能な便器などに連結配管３が、連結されたものである。この簡易便器２は、排便タンク４より高位置に配置されて使用され、好ましくは、バケツ等によって水が注がれ、該簡易便器２から連結配管開閉弁５まで連結配管３内に水１５が充填された状態で使用される。
【００１５】
前記連結配管３は、前述したように簡易便器２と排便タンク４を連結する配管である。この連結配管３は、室内床１３に貫通設置されたスイベル式継手管１３ａを介して、室内床１３を貫通しており、室内床１３より簡易便器２側が可撓性配管３ａ、例えば耐圧ホースで構成されており、連結配管３に接続された簡易便器２は、室内の至る所に容易に移動できるようになっている。
【００１６】
前記排便タンク４は、各種配管３、６、１６及び前記排便排出弁１０に連通される部分を除き、外部に対して密閉された容器であって、所定の内外圧力に耐え得る構造をしている。この排便タンク４の底部には、連結配管３を通じて簡易便器２から投入された排便を下方へ排出する排出口４ａ及び該排出口４ａを開閉する排便排出弁１０が設けられており、さらに排便タンク４内の排出口４ａの周囲には、排便を凝集して効率よく排出するために勾配４ｂが形成されている。
【００１７】
前記排便タンク４は、該排便タンク４の周側面に隙間無く接合された、脚部１７ａを有する椀状の排便タンク受け１７に固定支持されている。該排便タンク受け１７の底部には、前記排出口４ａから排出された排便を下水管１１へ案内するために下水管１１と連通する排便排出管１２が接続されている。なお、該排便タンク受け１７内の底部にも、排便排出弁１０から排出された排便を凝集して効率よく下水管１１側へ排出するために勾配１７ｂが形成されている。
【００１８】
前記排便タンク４の上部には、前記圧縮空気供給配管６及び前記吸引機９を連結する吸引配管１６が夫々異なる箇所に貫通されている。前記吸引配管１６の排便タンク４側端部には、下向きに延出したスリーブ１６ａが形成されており、排便タンク４の側部から投入された排便が吸引配管１６内に吸い込まれることを防止する。また、前記圧縮空気供給配管６の排便タンク４側端部には、配管に多数の孔が形成されてなるメッシュ部材１９が連結されており、供給される洗浄水及び圧縮空気が前記排便タンク４内に隈なく拡散され、排便タンク４内の洗浄効率の向上が図られる。
【００１９】
前記圧縮空気供給部７と前記洗浄水供給部８は、同じ圧縮空気供給配管６を介して排便タンク４に連結されており、圧縮空気供給部７は圧縮空気供給配管６の上流側端部に、洗浄水供給部８は圧縮空気供給部７が連結された部分と排便タンク４が連結された部分の間に連結されている。
【００２０】
さらに、圧縮空気供給部７と圧縮空気供給配管６との間には、圧縮空気供給部７からの圧縮空気の吐出供給に連動して一方に延出するピストン２０ａが内設された圧縮機側連動弁２０が設けられ、圧縮空気供給配管６と洗浄水供給部８の間には、通常、洗浄水供給部８からの水圧により洗浄水供給部８と圧縮空気供給配管６との連通を閉止し、圧縮機側連動弁２０から延出される前記ピストン２０ａに押圧されることにより、洗浄水供給部８と圧縮空気供給配管６を連通する弁２１ａが内設された洗浄水供給部側連動弁２１が設けられている。このため、圧縮空気供給配管６内に圧縮空気と洗浄水が同時に供給され、前記メッシュ部材１９からは、圧縮空気によって付勢された洗浄水が排便タンク４内に勢いよく吹き付けられ、高い洗浄効果が得られるようになっている。一方、圧縮空気供給部７からの圧縮空気の供給が停止されたときは、ピストン２０ａが該ピストン２０ａを閉鎖側へ押圧するように内設されたばねの押圧力により閉鎖側へスライドされて、前記圧縮機側連動弁２０が閉止され、同時に前記洗浄水供給部側連動弁２１も弁２１ａが洗浄水に押圧されて閉止されるようになっている。なお、前記洗浄水供給部８から供給される洗浄水は、洗浄液を含む水に限定されるものではなく、洗浄液を含まない水道水等であってもよい。
【００２１】
前記吸引機９は、吸引配管１６を介して排便タンク４と連結されている。該吸引機９は、排便タンク４内の空気を吸引して排便タンク４内に負圧を形成することにより、簡易便器２に排泄された排便を排便タンク４内に吸引するために設けられたものであり、例えばバキュームポンプ等がこれに採用される。
【００２２】
また、前記吸引機９はパイロット圧で開閉する吸引機用連結弁２３を介して吸引配管１６と連結されており、吸引配管１６内の圧力が所定値を超えたときに、吸引配管１６に一端が連通されたパイロット管路２２を通じて供給されるパイロット圧力により吸引機用連結弁２３が閉止されるようになっている。このことによって、前記圧縮空気供給部７によって排便タンク４内に圧縮空気が供給されたときに、吸引機９側から圧縮空気が漏出することが防止され、排便タンク４内に供給された圧縮空気が全て排出弁１０から排出されるので、排便等の排出効率が向上する。
【００２３】
次に、上記した簡易便器の排便搬送装置１により簡易便器２内に排泄された排便Ｘを搬送する場合について説明する。なお、簡易便器２に排便Ｘが排泄される前は、連結配管開閉弁５及び排便排出弁１０は閉じられており、圧縮空気供給部７及び吸引機９は停止した状態となっている（以下この状態を「初期状態」という。）。また、連結配管３内に、簡易便器２から連結配管開閉弁５まで水１５が充填されている。
【００２４】
簡易便器２において排泄がなされ、使用者等により前記操作ボタン１４ａが「入」にされると、図２に示すように、簡易便器の排便搬送装置１は、排便吸引工程として、連結配管開閉弁５を開くとともに吸引機９を稼動し、排便タンク４内の空気を吸引し、排便タンク４内に負圧を形成することによって、簡易便器２及び連結配管３内の排便Ｘ及び充填された水１５を排便タンク４内に吸引する。
【００２５】
次に、前記操作ボタン１４ａが使用者等により「切」にされると、簡易便器の排便搬送装置１は、稼動している吸引機９を停止して排便タンク４内の空気の吸引を停止するとともに、開かれた前記連結配管開閉弁５を閉じる。次いで、他方の操作ボタン１４ｂが「入」にされると、圧縮空気供給部７を稼動し、前述したように、圧縮機側連動弁２０及び洗浄水供給部側連動弁２１を開いて、圧縮空気及び洗浄水を圧縮空気供給配管６内に供給するとともに、排便排出弁１０を開いて排便タンク４と下水道１１とを連通し、圧縮空気が混じった洗浄水を前記メッシュ部材１９を通じて排便タンク４内に拡散することにより、排便タンク４内を洗浄しつつ、開かれた排便排出弁１０から排便Ｘ及び洗浄水を下水道１１へ排出する（排便排出工程）。
【００２６】
上記排便排出工程が行われた後、「入」になった前記操作ボタン１４ｂが「切」にされると、簡易便器の排便搬送装置１は、復帰工程として、開かれた前記排便排出弁１０を閉じるとともに、圧縮空気供給部７を停止して、圧縮機側連動弁２０及び洗浄水供給部側連動弁２１を閉止し、前記洗浄水供給部８及び前記圧縮空気供給部７からの洗浄水及び圧縮空気の排便タンク４内への供給を停止し、簡易便器の排便搬送装置１を初期状態に復帰する。
【００２７】
以上説明した、簡易便器の排便搬送装置１及び方法によれば、簡易便器２に排泄された排便は、排便吸引工程及び排便排出工程によって下水管１１へ搬送されるので簡易便器２の使用者は、他人の助けを借りずに自分で排便の処理を行うことができる。また、排便吸引工程において、前記連結配管開閉弁５が開かれたときに、吸引機９によって排便タンク４内の空気が吸引され、排便排出工程において、開かれた前記連結配管開閉弁５が閉じられるので、排便タンク４内の排便の臭いが連結配管３を通じて簡易便器４側へ逆流しないので、吸引機９さえ屋外に配置すれば、室内で快適に簡易便器２を使用することができる。さらに、前述したように簡易便器２から水を注ぎ入れることにより、簡易便器２から連結配管開閉弁５にかけて連結配管３内に水を充填させておくことが可能な構造となっているので、そうすることによって、排便が簡易便器２や連結配管３内に付着しにくくなり、簡易便器２の清掃作業の負担を軽減することが可能である。
【００２８】
なお、本実施の形態においては、前記連結配管開閉弁５、前記排便排出弁１０はアクチュエータにより開閉されるようになっているが、これら弁の開閉はアクチュエータによるものに限定されずともよく、例えば、アクチュエータの代わりに所定のばね力により閉鎖側へ押圧される弁を採用しても、上記説明した排便吸引工程、排便排出工程、復帰工程を行うことが可能である。すなわち、連結配管開閉弁５にあっては、簡易便器２及び連結配管３に充填された水及び排便の水圧に対抗して閉鎖する一方、吸引機９による排便タンク４内の吸引力によって開くように連結配管開閉弁５を閉鎖するばね力を設定すればよく、又、排便排出弁１０にあっては、排便吸引工程において排便タンク４内に溜まる水及び排便の重量に対抗して閉鎖する一方、排便排出工程において排便タンク４に圧縮空気及び洗浄水が供給されることにより、上昇する排便タンク４内の圧力によって開くように、排便排出弁１０を閉鎖するばね力を設定すればよい。
【００２９】
また、本実施形態に係る簡易便器の排便搬送装置１は、２つの操作ボタン１４ａ及び１４ｂが夫々適当なタイミングで操作されることによって、前述した各工程を行うようになっているが、吸引機９、圧縮空気供給部７、連結配管開閉弁５、排便排出弁１０等の開閉動作を制御する制御部を設け、ボタン１つで自動的に各工程を順次行い、操作の簡便化が図られるようにしてもよい。
【００３０】
【発明の効果】
以上の説明から明らかなように、請求項１記載の簡易便器の排便搬送装置によれば、簡易便器に排泄された排便を、排便タンク内に吸引し、排便排出弁から下水管へ排出することができるので、簡易便器の使用者は、他人の助けを借りずに自分で排便の処理を行うことができる。
【００３１】
また、連結配管開閉弁が開いているときは、吸引機によって排便タンク内の空気が吸引され、排便タンク内に洗浄水及び圧縮空気が供給されるときは、前記連結配管開閉弁が閉じられるので、排便タンク内の排便の臭いが連結配管を通じて簡易便器側へ逆流しないため、簡易便器を室内で快適に使用することができる。
【００３２】
さらに、簡易便器から連結配管開閉弁にかけて連結配管内に水を充填させておくことが可能な構造になっているので、水を充填させておくことにより、排便が簡易便器や連結配管内に付着しにくくなり、簡易便器の清掃作業の煩わしさを軽減することができる。
【００３３】
請求項２記載の簡易便器の排便搬送装置によれば、洗浄水及び圧縮空気が排便タンク内に隈なく拡散され、排便タンク内の洗浄効率の向上が図られる。
【００３４】
請求項３記載の簡易便器の排便搬送装置によれば、連結配管の少なくとも一部が可撓性配管からなるものであるので、連結配管に接続された簡易便器を室内の至る所に容易に移動することが可能である。
【００３５】
請求項４記載の簡易便器の排便搬送方法によれば、簡易便器に排泄された排便は、排便吸引工程及び排便排出工程によって下水管へ搬送されるので簡易便器の使用者は、他人の助けを借りずに自分で排便の処理を行うことができる。
【００３６】
また、排便吸引工程においては、連結配管開閉弁が開かれたときに、吸引機により排便タンク内の空気が吸引され、排便排出工程においては、開かれた前記連結配管開閉弁が閉じられるので、排便タンク内の排便の臭いが連結配管を通じて簡易便器側へ逆流することがなく、簡易便器を室内で快適に使用することができる。
【００３７】
請求項５記載の簡易便器の排便搬送方法によれば、洗浄水及び圧縮空気が排便タンク内に隈なく拡散され、排便タンク内の洗浄効率の向上が図られる。
【００３８】
請求項６記載の簡易便器の排便搬送方法によれば、連結配管の少なくとも一部が可撓性配管からなるものであるので、連結配管に接続された簡易便器を室内の至る所に容易に移動することが可能である。
【図面の簡単な説明】
【図１】本発明の実施の形態に係る簡易便器の排便搬送装置を示した図であって、本装置の初期状態を示した図である。
【図２】本発明の実施の形態に係る簡易便器の排便搬送装置を示した図であって、排便吸引工程を行っている状態を示した図である。
【図３】本発明の実施の形態に係る簡易便器の排便搬送装置を示した図であって、排便排出工程を行っている状態を示した図である。
【符号の説明】
Ｘ　排便
１　簡易便器の排便搬送装置
２　簡易便器
３　連結配管
３ａ　可撓性配管
４　排便タンク
５　連結配管開閉弁
６　圧縮空気供給配管
７　圧縮空気供給部
８　洗浄水供給部
９　吸引機
１０　排便排出弁
１１　下水管
１２　排便排出配管
１３　床
１９　メッシュ部材
【図１】
2004084368.tif 000003
【図２】
2004084368.tif 000004
【図３】
2004084368.tif 000005